(57)【要約】      （修正有）【課題】  アクセサリーバッグを一体化できて構造が簡単であって部品をまとめやすくなり、一目で各部品を確認でき、更にコストダウンを図ることができ、しかも各部品の干渉を防ぐことができる梱包構造を提供する。【解決手段】  アクセサリーバック１に、リモコン６、ＲＦケーブル５、電池４、取扱い説明書７を入れて梱包するようにした梱包構造において、アクセサリーバック１の長手方向略中央部を溶着によって熱止して２つの梱包部２、３に区画し、一方の梱包部２に電池４とＲＦケーブル５を入れると共に他方の梱包部３にリモコン６と取扱い説明書７を入れて電池４及びＲＦケーブル５とリモコン６及び取扱い説明書７を別々に梱包し、各電気部品が互いに干渉しないように梱包する構成とした。【選択図】  図１
2007261633.tif 000002
【特許請求の範囲】
【請求項１】
アクセサリーバックに、リモコン、ＲＦケーブル、電池、取扱い説明書を入れて梱包するようにした梱包構造において、前記アクセサリーバックの長手方向略中央部を溶着によって熱止して２つの梱包部に区画し、一方の梱包部に電池とＲＦケーブルを入れると共に他方の梱包部にリモコンと取扱い説明書を入れて電池及びＲＦケーブルとリモコン及び取扱い説明書を別々に梱包し、前記各電気部品が互いに干渉しないように梱包する構成としたことを特徴とする梱包構造。
【請求項２】
アクセサリーバックに、リモコン、ＲＦケーブル、電池、取扱い説明書等を入れて梱包するようにした梱包構造において、前記アクセサリーバックの少なくとも１つの適宜箇所を溶着によって熱止して少なくとも２つ以上の梱包部に区画し、これらの梱包部に前記電気部品等を区画して梱包し、前記各電気部品が互いに干渉しないように梱包する構成としたことを特徴とする梱包構造。
【請求項３】
前記アクセサリーバッグの長手方向略中央部を溶着により熱止すると共にこの溶着部から長手方向端部までを溶着より熱止して３つの梱包部に区画し、１つの梱包部に前記リモコンと取扱い説明書を入れると共に他の２つの梱包部に電池とＲＦケーブルを別々に入れて、前記３つの梱包部に前記各電器部品を互いに干渉しないように別々に梱包した請求項２に記載の梱包構造。
【発明の詳細な説明】
【技術分野】
【０００１】
本発明は、アクセサリーバックに、リモコン、ＲＦケーブル、電池、取扱い説明書等を入れて梱包するようにした梱包構造に関するものである。
【背景技術】
【０００２】
従来、この種の梱包構造は、一つのアクセサリーバッグにリモコン、ＲＦケーブル、電池、取扱い説明書等を入れて梱包していたために、ケーブル、リモコン等が重なり、落下試験等で互いに干渉して条件が悪くなる場合があるという問題があった。
【０００３】
また、図３（ａ）（ｂ）に示すように、２つのアクセサリーバッグ１０１Ａ、１０１Ｂを用意し、一方のアクセサリーバッグ１０１Ａに電池１０２とＲＦケーブル１０３を入れて梱包し、他方のアクセサリーバッグ１０１Ｂにリモコン１０４と取扱い説明書１０５を入れて梱包し、これらのアクセサリーバッグ１０１Ａ、１０１ＢをＨＤＤ内蔵ＤＶＤレコーダー１０６に貼り付けて梱包していた。ところが、これにおいては、アクセサリーバック１０１Ａ、１０１Ｂを２つ必要とするために、部品がまとめにくくなると共にコストアップしてしまうという問題があった。
【０００４】
第１の従来技術を図４（ａ）（ｂ）に示す。この従来の梱包装置は、図４（ａ）（ｂ）に示すように、空気調和機の室内機本体２０１と、複数の付属部品２１１、２１２、２１３ａ、２１３ｂ、２１４、２１５とを収容して梱包する梱包装置２１０において、付属部品２１３ａ、２１３ｂを収納袋２２２に、付属部品２１１、２１２、２１４、２１５を収納袋２２５に入れて分割し、この分割した部分で前記収納袋２２２、２２５をひねって保持し、この収納袋２２２、２２５を据付板２０２に固定する。（例えば、特許文献１参照）。
【０００５】
ところが、これにおいては、ひねった収納袋２２２、２２５を保持するために、テープで上から止めなくてはならず、この作業が面倒であるという問題があった。
【０００６】
第２の従来技術を図５（ａ）（ｂ）に示す。この従来の携帯電子機器収納バッグは、図５（ａ）（ｂ）に示すように、扁平な箱状であって、一面が開放可能に構成されているバッグ３１１、３１２であって、他面の内側または外側に配設された収納仕切り袋３２０を備えており、この収納仕切り袋が、内部に空気を充填したとき、収納すべき携帯電子機器の本体および／または付属品の外形に対応した内側形状を備えた凹陥部３２２、３２３を備える。（例えば、特許文献２参照）。
【０００７】
ところが、これにおいては、空気を空気挿入ノズル３２４から入れなくてはならないので、面倒であり、余分な部品を必要とするという問題があった。
【０００８】
第３の従来技術を図６に示す。この従来の梱包方法は、図６に示すように、梱包箱４１０と、梱包箱４１０の下面側に配置され中央部に被梱包物を配置するための凹部を有する下部梱包緩衝部材４３０と、この下部梱包緩衝部材４３０の凹部に配置された被梱包物Ｐと、この被梱包物Ｐの上面側に配置された仕切り部材４４０と、この仕切り部材４４０と梱包箱４１０の天面との間に配置され被梱包物の付属品Ｐ１や取扱説明書Ｍ１等を収納できる構造できる構造を有する上部梱包緩衝部材４０１とを備えている。（例えば、特許文献３参照）。
【０００９】
ところが、これにおいては、部品点数が多くて複雑な構造となるという問題があった。
【特許文献１】特開２００４−８３１１４号公報
【特許文献２】特開２００１−２９９４２７号公報
【特許文献３】特開２００３−２３７８４４号公報
【発明の開示】
【発明が解決しようとする課題】
【００１０】
本発明は、上記従来の問題に鑑みてなされたものであって、アクセサリーバッグを一体化できて構造が簡単であって部品をまとめやすくなり、一目で各部品を確認でき、更にコストダウンを図ることができ、しかも各部品の干渉を防ぐことができる梱包構造を提供することを目的としている。
【課題を解決するための手段】
【００１１】
本発明は、上記課題を解決するために提案されたものであって、請求項１に記載の発明は、アクセサリーバックに、リモコン、ＲＦケーブル、電池、取扱い説明書を入れて梱包するようにした梱包構造において、前記アクセサリーバックの長手方向略中央部を溶着によって熱止して２つの梱包部に区画し、一方の梱包部に電池とＲＦケーブルを入れると共に他方の梱包部にリモコンと取扱い説明書を入れて電池及びＲＦケーブルとリモコン及び取扱い説明書を別々に梱包し、前記各電気部品が互いに干渉しないように梱包する構成としたことを特徴としている。
【００１２】
請求項２に記載の発明は、アクセサリーバックに、リモコン、ＲＦケーブル、電池、取扱い説明書等を入れて梱包するようにした梱包構造において、前記アクセサリーバックの少なくとも１つの適宜箇所を溶着によって熱止して少なくとも２つ以上の梱包部に区画し、これらの梱包部に前記電気部品等を区画して梱包し、前記各電気部品が互いに干渉しないように梱包する構成としたことを特徴としている。
【００１３】
請求項３に記載の発明は、請求項２に記載の発明において、前記アクセサリーバッグの長手方向略中央部を溶着により熱止すると共にこの溶着部から長手方向端部までを溶着より熱止して３つの梱包部に区画し、１つの梱包部に前記リモコンと取扱い説明書を入れると共に他の２つの梱包部に電池とＲＦケーブルを別々に入れて、前記３つの梱包部に前記各電器部品を互いに干渉しないように別々に梱包した。
【発明の効果】
【００１４】
請求項１に記載の発明によれば、１つのアクセサリーバッグに２つの梱包部を形成することができ、これら２つの梱包部に電池及びＲＦケーブルとリモコン及び取扱い説明書をそれぞれ区画して梱包することができ、アクセサリーバッグを一体化できて構造を簡単化することができる。このことによって、部品をまとめやすくなり、一目で各部品を確認でき、更にコストダウンを図ることができると共に各部品の干渉を防ぐことができる。
【００１５】
請求項２に記載の発明によれば、１つのアクセサリーバッグに２つ以上の梱包部を形成することができ、これら２つ以上の梱包部に電池、ＲＦケーブル、リモコン、取扱い説明書等をそれぞれ区画して梱包することができ、アクセサリーバッグを一体化できて構造を簡単化することができる。このことによって、部品をまとめやすくなり、一目で各部品を確認でき、更にコストダウンを図ることができると共に各部品の干渉を防ぐことができる。
【００１６】
請求項３に記載の発明によれば、アクセサリーバッグが３つの梱包部に区画されているから、１つの梱包部にリモコンと取扱い説明書を入れると共に他の２つの梱包部に電池とＲＦケーブルを別々に入れて梱包することができ、リモコン、電池及びＲＦケーブルが互いに干渉することなく梱包することができる。更に、１つのアクセサリーバッグを３つの梱包部に区画することができて、より一層コストダウンを図ることができる。
【発明を実施するための最良の形態】
【００１７】
以下、本発明に係る梱包構造の実施の形態について、図を参照しつつ説明する。
【００１８】
図１は本発明の第１実施形態の梱包構造を示し、（ａ）はそのアクセサリーバックに部品を入れて梱包する状態を示す斜視図、（ｂ）は部品を梱包したアクセサリーバッグをＨＤＤ内蔵ＤＶＤレコーダーに貼り付ける状態を示す斜視図である。
【００１９】
この第１実施形態の梱包構造は、図１（ａ）に示すように、アクセサリーバッグ１の長手方向略中央部を溶着により熱止して２つの梱包部２、３に区画している。一方の梱包部２に電池４とＲＦケーブル５を入れると共に、他方の梱包部３にリモコン６と取扱い説明書７とを入れて梱包するようになっている。そして、図１（ｂ）に示すように、このアクセサリーバッグは、ＨＤＤ内蔵ＤＶＤレコーダー８にテープ９で貼り付けられるようになっている。
【００２０】
従って、この第１実施形態によれば、１つのアクセサリーバッグ１に２つの梱包部２、３を形成することができ、これら２つの梱包部２、３に電池４及びＲＦケーブル５とリモコン６及び取扱い説明書７をそれぞれ区画して梱包することができ、アクセサリーバッグ１を一体化できて構造を簡単化することができる。このことによって、部品をまとめやすくなり、一目で各部品を確認でき、更にコストダウンを図ることができると共に各部品の干渉を防ぐことができる。
【００２１】
図２は第２実施形態の梱包構造におけるアクセサリーバッグに各部品を梱包する状態を示す斜視図である。
【００２２】
この第２実施形態の梱包構造は、図２に示すように、アクセサリーバッグ１の長手方向略中央部を溶着により熱止すると共にこの溶着部から長手方向端部までを溶着より熱止して３つの梱包部１０、１１、１２に区画し、１つの梱包部１２にリモコン６と取扱い説明書７を入れると共に他の２つの梱包部１０、１２に電池４とＲＦケーブル５を別々に入れて梱包するようにしている。
【００２３】
従って、この第２実施形態によれば、アクセサリーバッグ１が３つの梱包部１０、１１、１２に区画されているから、１つの梱包部１２にリモコン６と取扱い説明書７を入れると共に他の２つの梱包部１０、１１に電池４とＲＦケーブル５を別々に入れて梱包することができる。リモコン６、電池４及びＲＦケーブル５が互いに干渉することなく梱包することができる。更に、１つのアクセサリーバッグ１を３つの梱包部１０、１１、１２に区画することができて、より一層コストダウンを図ることができる。
【図面の簡単な説明】
【００２４】
【図１】本発明の第１実施形態の梱包構造を示し、（ａ）はそのアクセサリーバックに部品を入れて梱包する状態を示す斜視図、（ｂ）は部品を梱包したアクセサリーバッグをＨＤＤ内蔵ＤＶＤレコーダーに貼り付ける状態を示す斜視図である。
【図２】第２実施形態の梱包構造におけるアクセサリーバッグに各部品を梱包する状態を示す斜視図である。
【図３】従来の梱包構造を示し、（ａ）はその２つのアクセサリーバッグに部品を別々に梱包する状態を示す斜視図、（ｂ）は部品を梱包した２つのアクセサリーバッグをＨＤＤ内蔵ＤＶＤレコーダーに貼り付ける状態を示す斜視図である。
【図４】従来の梱包装置を示し、（ａ）はその空気調和機の梱包箱の一部を外して示す背面図、（ｂ）はその収納袋を示す平面図である。
【図５】従来の携帯電子機器収納バッグを示し、（ａ）はその斜視図、（ｂ）はその断面図である。
【図６】従来の梱包方法における梱包物の断面図である。
【符号の説明】
【００２５】
１      アクセサリーバッグ
２      梱包部
３      梱包部
４      電池
５      ＲＦケーブル
６      リモコン
７      取扱い説明書
８      ＨＤＤ内蔵ＤＶＤレコーダー
９      テープ
１０    梱包部
１１    梱包部
１２    梱包部
【図１】
2007261633.tif 000003
【図２】
2007261633.tif 000004
【図３】
2007261633.tif 000005
【図４】
2007261633.tif 000006
【図５】
2007261633.tif 000007
【図６】
2007261633.tif 000008